(57)【要約】【課題】改修工事により新たにウォールマウントインジケーターを取り付ける場合において、収納ボックスの撤去や壁の埋め戻し作業を不要とし、取り付け後の意匠性を向上させるエレベーターのインジケーター設置器具を提供する。【解決手段】インジケーターを建物の壁部に取り付けるためのエレベーターのインジケーター設置器具は、インジケーター２を装着するための平面部５ａ、５ｂを有する矩形状のプレート部材５と、プレート部材５に装着されて、プレート部材５と建物の壁部１７との間に配置される弾性体からなる緩衝部材２８と、を備えている。【選択図】図６
2018104118.tif 000002
【特許請求の範囲】
【請求項１】
インジケーターを建物の壁部に取り付けるためのエレベーターのインジケーター設置器具であって、
前記インジケーターを装着するための平面部を有する矩形状のプレート部材と、
前記プレート部材に装着されて、前記プレート部材と前記建物の壁部との間に配置される弾性体からなる緩衝部材と、
を備えたエレベーターのインジケーター設置器具。
【請求項２】
前記緩衝部材は、前記プレート部材の外周端部に沿った枠体状に形成されている
請求項１に記載のエレベーターのインジケーター設置器具。
【請求項３】
厚さの異なる前記緩衝部材を複数備えた
請求項１に記載のエレベーターのインジケーター設置器具。
【請求項４】
前記インジケーターは、一般用インジケーターと車いす用インジケーターを一体に備えた一体型インジケーターであって、
前記プレート部材の平面部は、前記一般用インジケーターを装着するための第１平面部と前記車いす用インジケーターを装着するための第２平面部を備えている
請求項１〜３のいずれか１項に記載のエレベーターのインジケーター設置器具。
【発明の詳細な説明】
【技術分野】
【０００１】
本発明は、エレベーター乗り場の所定位置に設置されて、かご呼び等の操作を行うためのインジケーターを建物の壁等に設置するためのエレベーターのインジケーター設置器具に関する。
【背景技術】
【０００２】
エレベーター乗り場には、乗客がかご呼び等の操作を行うための乗り場インジケーターが設置されている。従来、乗り場インジケーターは、建物の壁に長方形の穴を開けて収納ボックスを収納し、その収納ボックス内でコネクタの接続等の配線作業を行う（例えば、特許文献１）。
【０００３】
一方、近年では、収納ボックスの設置が不要なケースとカバーから成る薄い壁掛け型のいわゆるウォールマウントインジケーターが開発されており、ウォールマウントインジケーターはビス等を用いて建物の壁に取り付けられる。
【先行技術文献】
【特許文献】
【０００４】
【特許文献１】特開２０１５−１５１２１２号公報
【発明の概要】
【発明が解決しようとする課題】
【０００５】
しかしながら、エレベーターの改修工事において既設インジケーターをウォールマウントインジケーターに置き換える場合には、既設インジケーターの収納ボックスが建物の壁に埋設されているので、ウォールマウントインジケーターを取り付けるための収納ボックスの撤去や壁の埋め戻し作業が発生してしまう。
【０００６】
また、埋め戻し作業等を行わずに既設インジケーターの収納ボックスを活用する場合には、ウォールマウントインジケーターを収納ボックスのブラケットに取り付けることになるが、ブラケットに取り付ける際にウォールマウントインジケーターと建物の壁との間に隙間が生じ、意匠性が低下するというおそれがある。
【０００７】
本発明の目的は、上記の問題点を考慮し、改修工事により新たにウォールマウントインジケーターを取り付ける場合において、収納ボックスの撤去や壁の埋め戻し作業を不要とし、取り付け後の意匠性を向上させるエレベーターのインジケーター設置器具を提供することにある。
【課題を解決するための手段】
【０００８】
上記課題を解決し、本発明の目的を達成するため、本発明のエレベーターのインジケーター設置器具は、インジケーターを装着するための平面部を有する矩形状のプレート部材と、プレート部材に装着されて、プレート部材と建物の壁部との間に配置される弾性体からなる緩衝部材と、を備えている。
【発明の効果】
【０００９】
本発明のエレベーターのインジケーター設置器具によれば、新しい乗り場インジケーターに置き換えるエレベーターの改修工事を行う際に、収納ボックスの撤去や壁の埋め戻し作業を不要とし、新しい乗り場インジケーターを取り付けた後の意匠性を向上させることができる。
【図面の簡単な説明】
【００１０】
【図１】本発明の実施の形態例によるエレベーターのインジケーター設置器具を採用したエレベーター乗り場を示す正面図である。
【図２】本発明の実施の形態例による取り付けプレートの正面図である。
【図３】図２に示した取り付けプレートに車いす用インジケーターを装着した正面図である。
【図４】本発明の実施の形態例による緩衝プレートの正面図である。
【図５】図２に示した取り付けプレートに緩衝プレートを装着した際の背面図である。
【図６】図２に示した取り付けプレートにより乗り場インジケーターを建物の壁部に取り付けた際の縦断面図である。
【発明を実施するための形態】
【００１１】
以下、本発明のエレベーターのインジケーター設置器具の実施の形態例（以下、「本例」という。）について、図１〜図６を参照して説明する。なお、各図において共通の部材には、同一の符号を付している。
図１は、本例のエレベーターのインジケーター設置器具を採用したエレベーター乗り場の正面図である。
【００１２】
図１に示すように、エレベーター乗り場１００には、出入口に開閉可能に設置された乗り場ドア１と、乗り場ドア１の近傍に位置する建物の壁部１７に設置された乗り場インジケーター２と、が備えられている。乗り場インジケーター２は、上方側に設けられた一般用インジケーター３と、一般用インジケーター３の下方端部に連接して設けられた車いす用インジケーター４と、を有している。本例の乗り場インジケーター２は、一般用インジケーター３と車いす用インジケーター４を一体に備えた一体型のウォールマウントインジケーターである。一般用インジケーター３及び車いす用インジケーター４には、それぞれホールボタン１５、１６が設けられている。乗り場インジケーター２は、インジケーター設置器具であるプレート部材としての取り付けプレート５により、建物の壁部１７に取り付けられている。
【００１３】
図２は、上述した取り付けプレート５を拡大した正面図である。
図２に示すように、取り付けプレート５は、ステレンス等からなる金属製の平板状部材によって矩形状に形成されている。長方形状に形成された取り付けプレート５は、一般用インジケーター３を装着するための平面を備えた第１平面部５ａと、車いす用インジケーター４を装着するための平面を備えた第２平面部５ｂと、を備えている。なお、車いす用インジケーター４を設けない場合には、第２平面部５ｂは形成されない。また、第１平面部５ａ及び第２平面部５ｂの四隅には、溶接によりスタッドボルト８が設けられている。なお、本例の取り付けプレート５は長方形状に形成されているが、一般用インジケーター３及び車いす用インジケーター４を装着できる形状であればよい。
【００１４】
第１平面部５ａの中央部には、取り付けプレート５に装着した一般用インジケーター３のコード３２を、取り付けプレート５の表側から裏側へ貫通させるための矩形状の第１貫通部である開口部１０が形成されている。また、開口部１０の下端部の近傍には、キースイッチ２３の一部を貫通させるための円形のキースイッチ貫通孔９が形成されている。また、開口部１０の上端部の近傍とキースイッチ貫通孔９の下端部の近傍には、取り付けプレート５を後述するブラケット７に締結するためのねじ２６を挿通するための一対のねじ孔１８が設けられている。
【００１５】
第２平面部５ｂの上部には、取り付けプレート５に装着した車いす用インジケーター４のコード１２を貫通させるための第２貫通部としてのホールボタン貫通孔１１が設けられている。ホールボタン貫通孔１１は、キースイッチ貫通孔９及びねじ孔１８を避けるようにして形成されている。また、ホールボタン貫通孔１１は、第２平面部５ｂの上部から第１平面部５ａの下部にわたって形成されており、細長く伸びた長方形状を有している。ホールボタン貫通孔１１は、取り付けプレート５を建物の壁部１７に取り付けた際に、ホールボタン貫通孔１１の先端部分が建物の壁部１７に設けられている収納ボックス６の空間部６ａに対向する位置に到達できるような長さを有している。本例のホールボタン貫通孔１１は、細長く伸びた長方形状を有しているが、収納ボックス６の空間部６ａに対向する位置に到達できればいかなる形状であってもよい。
【００１６】
図３は、図２に示した取り付けプレート５に車いす用インジケーター４を装着した際の正面図である。すなわち、取り付けプレート５を表側から見たものである。
図３に示すように、車いす用インジケーター４は、取り付けプレート５の第２平面部５ｂに装着されている。
【００１７】
車いす用インジケーター４は、上昇呼びを登録する上昇乗り場ボタン１６ａ基板および下降呼びを登録する下降乗り場ボタン基板１６ｂを備えたケース２０と、上昇乗り場ボタン１６ａ基板および下降乗り場ボタン１６ｂ基板から伸びるコード１２及びそのコード１２の先端に設けられたコネクタ２２と、ケース２０を塞ぐカバー４５（図示せず）と、を備えている。また、ケース２０の底面には、コード１２をホールボタン貫通孔１１へ貫通させるためのケース貫通孔２１が形成されている。ケース２０は、ケース貫通孔２１とホールボタン貫通孔１１の一部が重なるようにして、取り付けプレート５に装着されている。
【００１８】
ホールボタン貫通孔１１には、ガイド部材１３が嵌合されている。ガイド部材１３は、ＡＢＳ樹脂等のゴム部材で構成されており、コード１２を配線するための溝が設けられている。ガイド部材１３には、コード１２を引き出すための切り込み部２４が形成されており、切り込み部２４は、開口部１０に近い側に設けられている。
【００１９】
図４は、本例のインジケーター設置器具として使用する緩衝部材としての緩衝プレート２８の正面図である。
緩衝プレート２８は、取り付けプレート５と建物の壁部１７との間に生じる隙間を埋めるために用いられる。具体的には、収納ボックス６のブラケット７が壁面１７ａよりも突出している場合に生じる隙間を埋めるために用いられるものである。
【００２０】
緩衝プレート２８は、ＡＢＳ樹脂等の弾力性のあるゴム部材で構成されており、１枚の平板状のゴム部材の中心部をくり抜いて形成される。緩衝プレート２８の枠体部分２９の幅は２ｍｍ〜３ｍｍの大きさで構成されており、緩衝プレート２８の中央には開口部３０が形成されている。図４に示すように、本例の緩衝プレート２８は、取り付けプレート５の外周端部５ｃに沿うような枠体状に形成されている。このように、枠体部分２９の幅を細くし、中央に開口部３０を設けることで、緩衝部材２８の重さを軽くして、取り付けプレート５にかかる荷重を軽くすることができる。また、一般用インジケーター３のコード３２及び車いす用インジケーター４のコード１２を収納ボックス６内に挿通する際の配線のスペースを確保することができる。なお、劣化等により建物の壁部１７には凹凸が存在するので、緩衝プレート２８にスポンジのように軟らかい材質を用いた場合には密封性が落ちてしまう。このため、緩衝プレート２８を構成するゴム部材は、ある程度の硬さが必要である。例えば、緩衝プレート２８を構成するゴム部材のゴム硬度は６０度あたりのものが望ましい。
【００２１】
また、本例の緩衝プレート２８を取り付けプレート５に装着した際に、枠体部分２９の外周端部２８ｃが取り付けプレート５の外周端部５ｃよりも内側に位置する。これにより、乗り場インジケーター２を建物の壁部１７に装着した際に、緩衝プレート２８が取り付けプレート５からはみ出してしまうことを防止し、乗り場インジケーター２の意匠性を向上させることができる。また、緩衝プレート２８の枠体部分２９の幅を２ｍｍよりも大きくすることで壁部１７との接触面積を増やし、乗り場インジケーター２を建物の壁部１７に取り付けた際に、緩衝プレート２８がずれてしまうことを防ぐことができる。
【００２２】
また、厚さの異なる緩衝プレート２８を複数用意してもよい。これにより、取り付けプレート５を壁に取り付ける際に生じる隙間の大きさに合わせて、最適な緩衝プレート２８を使用することができる。例えば、厚さが２ｍｍの緩衝プレート２８と、厚さが３ｍｍの緩衝プレート２８を準備して、取り付けプレート５と壁面１７ａとの隙間の幅が２ｍｍ以下になるような場合には、厚さが２ｍｍの緩衝プレートを使用する。また、取り付けプレート５と壁面１７ａとの隙間の幅が２ｍｍ〜３ｍｍになる場合には、厚さが３ｍｍの緩衝プレートを使用する。また、取り付けプレート５と壁面１７ａとの隙間の幅が３ｍｍ以上になる場合には、厚さ２ｍｍと厚さ３ｍｍの緩衝プレートを適宜組み合わせて使用する。
【００２３】
図５は、緩衝プレート２８が装着された図３に示した取り付けプレート５の背面図である。すなわち、取り付けプレート５を裏側から見たものである。
図５に示すように、本例では取り付けプレート５の外周端部に沿って緩衝プレート２８が装着されている。緩衝プレート２８は、両面テープにより取り付けプレート５に固定される。また、緩衝プレート２８の枠体部分２９の幅が、ねじ孔１８や開口部１０に干渉しない程度の大きさで形成されているので、緩衝プレート２８に邪魔されることなく取り付けプレート５のブラケット７への装着や、コード１２の配線等を容易に行うことができる。また、緩衝プレート２８は、取り付けプレート５の外周端部の周囲に沿って配置されているので、乗り場インジケーター２が設置されている外部空間に含まれる水分や埃の侵入を確実に防止することができる。
【００２４】
ガイド部材１３の切り込み部２４から引き出されたコード１２の一部は、開口部１０とホールボタン貫通孔１１との間に設けられたコード保持部１９によって保持されており、コード１２の先端に設けられたコネクタ２２が開口部１０に達している状態が保持される。
【００２５】
なお、ガイド部材１３の底部によって、車いす用インジケーター４が装着される側と反対側（壁側）のホールボタン貫通孔１１の開口部分を塞いでいるので、乗り場インジケーター２を建物の壁部１７に取り付ける際に、コード１２が壁と接触して破損することを防止できる。また、コード１２をガイド部材１３の溝に配線することにより、コード１２がホールボタン貫通孔１１の開口部分のエッジと接触して破損することを防止できる。
【００２６】
図６は、取り付けプレート５を収納ボックス６のブラケット７に締結して、乗り場インジケーター２を建物の壁部１７に取り付けた際の縦断面図である。
図６に示すように、取り付けプレート５には、スタッドボルト８を介して、一般用インジケーター３及び車いす用インジケーター４を一体に備えた乗り場インジケーター２が装着されている。乗り場インジケーター２が装着された取り付けプレート５は、ねじ２６により、収納ボックス６に固設されたブラケット７に締結されて、乗り場インジケーター２が建物の壁部１７に取り付けられる。
【００２７】
車いす用インジケーター４のコード１２は、ホールボタン貫通孔１１に嵌合されたガイド部材１３にガイドされて、コード１２の先端に接続されたコネクタ２２が収納ボックス６の空間部６ａに位置するように配線され、建物側に配置されたコネクタと接続した状態で収納ボックス６内に収納される。また、一般用インジケーター３のコード３２に接続されたコネクタ４２も収納ボックス６の空間部６ａに位置するように配線され、建物側に配置されたコネクタと接続した状態で収納ボックス６内に収納される。
【００２８】
コネクタ２２、４２と建物側に配置されたコネクタとが接続された後、一般用インジケーター３のカバー３５がケース１４に装着され、車いす用インジケーター４のカバー４５がケース２０に装着される。
【００２９】
取り付けプレート５の壁面側に装着された緩衝プレート２８は、取り付けプレート５と壁面１７に挟まれた状態で、建物の壁部１７から突出したブラケット７と取り付けプレート５との間にできる隙間４０を埋めるように配置される。これにより、隙間４０は緩衝プレート２８の厚みによって埋められるので、外部から見た際の意匠性を向上させることができる。なお、本例によれば、隙間４０が生じた場合に、乗り場インジケーター２を取り外して、シリコン等で隙間４０を埋めて、再度乗り場インジケーター２を取り付ける等のコーキング作業を行う必要がない。また、隙間４０は緩衝プレート２８により密封されるので、乗り場インジケーター２が設けられている外部空間の水分や埃が隙間４０を通じて乗り場インジケーター２の内部や収納ボックス６内に侵入することを防ぎ、一般用ホールボタンの基板等が錆等で劣化することを防止できる。
【００３０】
また、本例によれば、取り付けプレート５と壁面１７ａとの間の隙間４０に緩衝プレート２８を埋めることにより、使用者が、一般用ホールボタン１５や車いすホールボタン１６を押した際に乗り場インジケーター２が隙間４０側へ撓むことを抑え、乗り場インジケーター２の操作性を向上させることができる。
【００３１】
以上説明したように、本例のエレベーターのインジケーターの設置器具によれば、新しい乗り場インジケーター２に置き換える改修工事を行った場合において、取り付け後の乗り場インジケーター２の意匠性を向上させるとともに、乗り場インジケーター２の寿命を長くすることができる。さらに、乗り場インジケーター２の操作性を向上させることができる。
【００３２】
また、改修により新たに車いす用インジケーター４を追加した場合であっても、既設の収納ボックス６内に追加した車いす用インジケーター４のコネクタ２２を収納することができるので、別途、新たに車いす用インジケーター４のコネクタ２２を収納するための収納ボックスを設置する必要がない。また、車いす用インジケーター４が装着される取り付けプレート５の下端部と壁面１７ａとの間にできる隙間には緩衝プレート２８が設けられているので、車いすの使用者は車いすホールボタン１６を確実に押すことができる。
【００３３】
なお、本例では、緩衝プレート２８の形状を取り付けプレート５の外周端部５ｃに沿う枠体形状としたが、緩衝プレート２８の形状を取り付けプレート５の上下端部にのみ沿うような形状としてもよい。これにより、隙間４０を埋めてボタン操作を安定させることができる。また、緩衝プレート２８の形状を、取り付けプレート５の両側端部にのみ沿うような形状としてもよい。これにより、隙間４０を埋めて外部からの水分等の侵入を減らすことができる。
【００３４】
なお、本発明は上述しかつ図面に示した実施の形態に限定されるものではなく、特許請求の範囲に記載した発明の要旨を逸脱しない範囲内で種々の変形実施が可能である。例えば、緩衝プレート２８の形状は、本例に限定されるものではなく、ねじ孔１８等を塞ぐことなく、コード１２、３２を収納ボックス６へ挿通できる開口部が確保されていればよい。
【符号の説明】
【００３５】
１…乗り場ドア、  ２…乗り場インジケーター、  ３…一般用インジケーター、  ４…車いす用インジケーター、  ５…取り付けプレート、  ５ａ…第１平面部、  ５ｂ…第２平面部、  ６…収納ボックス、  ７…ブラケット、  ８…スタッドボルト、  ９…キースイッチ貫通孔、  １０…開口部、  １１…ホールボタン貫通孔、  １２、３２…コード、  １３…ガイド部材、  １３ａ…底部、  １４…ケース、  １５…一般用ホールボタン、  １６…車いす用ホールボタン、  １７…建物の壁部、１７ａ・・・壁面、  １８…ねじ孔、  １９…コード保持部、  ２０…ケース、  ２１…ケース貫通孔、  ２２…コネクタ、  ２３…キースイッチ、  ２４…切り込み部、  ２６…ねじ、  ２８・・・緩衝プレート、  ２９・・・枠体、  ３０・・・開口部、  ３５・・・カバー、  ４０・・・隙間、４２・・・コネクタ、  ４５・・・カバー
【図１】
2018104118.tif 000003
【図２】
2018104118.tif 000004
【図３】
2018104118.tif 000005
【図４】
2018104118.tif 000006
【図５】
2018104118.tif 000007
【図６】
2018104118.tif 000008